(57)【要約】【課題】シル溝内の異物の除去が可能であるとともに、乗客にとって必要な持ち物がシル溝内に落下した際に、乗客はシル溝内からその持ち物を取り出すことができる。【解決手段】乗かごドア１の下端部のドアシュー６と係合して乗かごドア１の開閉動作を案内する凹状のシル溝７ａを有する敷居７と、この敷居７に形成され、シル溝７ａに侵入した異物をシル溝７ａ外へ排出させる貫通穴５とを有するものにあって、一端側２ａが乗かごドア１に取り付けられ、他端側２ｂが敷居７の背面側に配置され、ドア開時に乗かごドア１の開動作に伴って貫通穴５を閉じる閉塞体２を備えた構成にしてある。閉塞体２は、屈曲可能な弾性部材から成り、閉塞体２を敷居７の背面側で走行可能に案内するガイド体４を備えた。【選択図】図１
2010260699.tif 000002
【特許請求の範囲】
【請求項１】
ドアの下端部と係合してドアの開閉動作を案内する凹状のシル溝を有する敷居と、この敷居に形成され、前記シル溝に侵入した異物を前記シル溝外へ排出させる貫通穴とを有するエレベータドアの敷居装置において、
一端側が前記ドアに取り付けられ、他端側が前記敷居の背面側に配置され、前記ドア開時に前記ドアの開動作に伴って前記貫通穴を閉じる閉塞体を備えたことを特徴とするエレベータドアの敷居装置。
【請求項２】
請求項１に記載のエレベータドアの敷居装置において、
前記閉塞体は、屈曲可能な弾性部材から成り、
前記閉塞体を前記敷居の前記背面側で走行可能に案内するガイド体を備えたことを特徴とするエレベータドアの敷居装置。
【請求項３】
請求項２に記載のエレベータドアの敷居装置において、
前記ガイド体は、
前記敷居の背面に取り付けられる固定部と、前記閉塞体が落下しないように保持する保持部とを有し、前記敷居の前記背面に沿って直線状に延設される直線ガイド部と、
この直線ガイド部によって案内された閉塞体を、屈曲させながら案内する屈曲ガイド部とから成り、
前記屈曲ガイド部は、前記敷居の端部に近い側に位置する内側湾曲部と、この内側湾曲部に対向して設けられ、前記敷居の端部から離れる側に位置する外側湾曲部とから成り、
前記内側湾曲部と前記外側湾曲部との間に、前記閉塞体が挿通される通路が形成されていることを特徴とするエレベータドアの敷居装置。
【請求項４】
請求項１〜３のいずれか１項に記載のエレベータドアの敷居装置において、
前記ドアは、閉動作時に側端部が互いに接合する両開きドアから成り、
前記貫通穴を、前記ドア閉じ端部の近傍に位置する前記敷居部分に、前記ドア閉じ端部を挟むように一対設けたことを特徴とするエレベータドアの敷居装置。
【発明の詳細な説明】
【技術分野】
【０００１】
本発明は、エレベータドアの下端部に係合し、エレベータドアの開閉動作を案内するとともに、敷居溝に侵入した異物の除去が可能なエレベータドアの敷居装置に関する。
【背景技術】
【０００２】
一般に、エレベータにあっては、ドア下端部に係合し、開閉動作を案内する凹状の敷居溝、すなわちシル溝を有する敷居が、乗場ドア及び乗乗かごドアに設けられている。しかし、これらのシル溝上を多数の乗客や荷物が通過することから、多様な異物がシル溝内に落下する。この落下した異物はドアの開閉動作の障害となる。このようなことから、従来、特許文献１にドアの開閉動作に連動してシル溝内の異物に当接し、シル溝の底部に設けた貫通穴から前述の異物をシル溝外へ排出し除去することのできるエレベータドアの敷居装置が提案されている。
【先行技術文献】
【特許文献】
【０００３】
【特許文献１】実開平０５−０２４６７４号公報
【発明の概要】
【発明が解決しようとする課題】
【０００４】
しかしながら、前述した従来技術は、異物をシル溝外へ排出する点では優れているものの、エレベータの乗客が、乗客にとって必要な鍵やコインなどの持ち物を誤ってシル溝内に落した場合でも、異物と同様にしてシル溝外へ排出してしまうことになる。したがって、この従来技術は、エレベータの乗客に対するサービス性の点では問題があった。
【０００５】
本発明は、上述した従来技術における実状からなされたもので、その目的は、シル溝内の異物の除去が可能であるとともに、乗客にとって必要な持ち物がシル溝内に落下した際に、乗客はシル溝内からその持ち物を取り出すことができるエレベータドアの敷居装置を提供することにある。
【課題を解決するための手段】
【０００６】
上記目的を達成するために、本発明に係るエレベータドアの敷居装置は、ドアの下端部と係合してドアの開閉動作を案内する凹状のシル溝を有する敷居と、この敷居に形成され、前記シル溝に侵入した異物を前記シル溝外へ排出させる貫通穴とを有するエレベータドアの敷居装置において、一端側が前記ドアに取り付けられ、他端側が前記敷居の背面側に配置され、前記ドア開時に前記ドアの開動作に伴って前記貫通穴を閉じる閉塞体を備えたことを特徴としている。
【０００７】
このように構成した本発明は、ドア閉時には、シル溝に異物が侵入している場合にその異物が、ドアの閉じ動作に伴って開放する敷居の貫通穴からシル溝外へ排出される。また、ドア開時には、ドアの開き動作に伴って閉塞体が敷居の背面側を移動して、敷居の貫通穴の背面側が閉じられる。したがって、ドア開時に乗客がシル溝上を通過する際に、乗客にとって必要な持ち物がシル溝内に落下しても、その持ち物が貫通穴から排出されることがなく、乗客はシル溝内からその持ち物を取り出すことができる。
【０００８】
また、本発明に係るエレベータドアの敷居装置は、前記発明において、前記閉塞体は、屈曲可能な弾性部材から成り、前記閉塞体を前記敷居の前記背面側で走行可能に案内するガイド体を備えたことを特徴としている。このように構成した本発明は、ドアの開閉動作に伴って閉塞体を、適宜屈曲させてガイド体で案内させながら円滑に移動させることができる。これにより、ドア開時における貫通穴の閉塞動作及びドア閉時における貫通穴の開放動作を確実に行わせることができる。
【０００９】
また、本発明に係るエレベータドアの敷居装置は、前記発明において、前記ガイド体は、前記敷居の背面に取り付けられる固定部と、前記閉塞体が落下しないように保持する保持部とを有し、前記敷居の前記背面に沿って直線状に延設される直線ガイド部と、この直線ガイド部によって案内された閉塞体を、屈曲させながら案内する屈曲ガイド部とから成り、前記屈曲ガイド部は、前記敷居の端部に近い側に位置する内側湾曲部と、この内側湾曲部に対向して設けられ、前記敷居の端部から離れる側に位置する外側湾曲部とから成り、前記内側湾曲部と前記外側湾曲部との間に、前記閉塞体が挿通される通路が形成されていることを特徴としている。このように構成した本発明は、直線ガイド部の保持部によって、閉塞体を安定に保持させながら敷居の背面に沿って移動させることができ、また、屈曲ガイド部によって、閉塞体を敷居の端部において屈曲させながら移動させることができ、閉塞体を円滑に移動させることに貢献する。
【００１０】
また、本発明に係るエレベータドアの敷居装置は、前記発明において、前記ドアは、閉動作時に側端部が互いに接合する両開きドアから成り、前記貫通穴を、前記ドア閉じ端部の近傍に位置する前記敷居部分に、前記ドア閉じ端部を挟むように一対設けたことを特徴としている。このように構成した本発明は、ドア閉時に、ドア閉じ動作の開始位置からドア閉じ端部の近傍、すなわちドア閉じ動作の終了位置付近までのシル溝の領域に存在する異物を、貫通穴から排出させることができ、シル溝内に落下した異物に対する優れた除去性能を確保することができる。
【発明の効果】
【００１１】
本発明は、ドアの下端部と係合してドアの開閉動作を案内する凹状のシル溝を有する敷居と、この敷居に形成され、シル溝に侵入した異物をシル溝外へ排出させる貫通穴とを有するエレベータドアの敷居装置において、一端が前記ドアに取り付けられ、他端が敷居の背面側に配置され、ドア開時にドアの開動作に伴って貫通穴を閉じる閉塞体を備えたことから、ドア閉時に開放された貫通穴を介してシル溝内の異物の除去が可能であるとともに、ドアの開放に伴って敷居上を乗客が通過する際、乗客にとって必要な持ち物がシル溝内に落下したときには、乗客はシル溝内からその持ち物を取り出すことができ、従来に比べてエレベータの乗客に対するサービス性を向上させることができる。
【図面の簡単な説明】
【００１２】
【図１】本発明に係るエレベータドアの敷居装置の一実施形態を示す要部縦断面図である。
【図２】図１のＡ−Ａ断面拡大図である。
【図３】図１のＢ−Ｂ矢視拡大図である。
【発明を実施するための最良の形態】
【００１３】
以下、本発明に係るエレベータドアの敷居装置の実施の形態を図に基づいて説明する。
【００１４】
本実施形態に係る敷居装置は、例えば閉動作時に側端部が互いに接合する両開きの乗かごドア１を有するエレベータに適用される。本実施形態は、図１に示すように、乗かごドア１の下端部であるドアシュー６と係合して乗かごドア１の開閉動作を案内する凹状のシル溝７ａを有する敷居７と、図１，３に示すように、敷居７の例えばドア閉じ端部の近傍に位置する部分に、ドア閉じ端部を挟むように一対設けられ、シル溝７ａ内に侵入したゴミ等の異物をシル溝７ａ外へ排出させる貫通穴５とを有している。
【００１５】
また、図１に示すように、一端側２ａがドア１に取り付けられ、他端側が敷居７の背面側、すなわち同図１に示す敷居７の下側に配置され、ドア１の開動作に伴って貫通穴５を閉じる閉塞体２を備えている。この閉塞体２は、屈曲可能な例えばシート状の金属製あるいは合成樹脂製の弾性部材から成っている。
【００１６】
また、本実施形態は、図１，２に示すように、閉塞体２を敷居７の背面側で走行可能に案内するガイド体４を備えている。このガイド体４は、図２に示すように、敷居７の背面に取り付けられる固定部４ａ１と、閉塞体２が落下しないように保持する保持部４ａ２とを有し、図１に示すように、敷居７の背面に沿って直線状に延設される直線ガイド部４ａと、この直線ガイド部４ａによって案内された閉塞体２を、屈曲させながら案内する屈曲ガイド部とから成っている。
【００１７】
屈曲ガイド部は、図１に示すように、敷居７の端部に近い側に位置する内側湾曲部４ｂと、この内側湾曲部４ｂに対向して設けられ、敷居７の端部から離れる側に位置する外側湾曲部４ｃとから成っている。内側湾曲部４ｂと外側湾曲部４ｃとの間に、閉塞体２を屈曲させながら通過させる通路４ｄが形成されている。
【００１８】
このように構成した本実施形態に係る敷居装置は、図１の矢印８方向とは反対方向に乗かごドア１が移動するドア閉時には、シル溝７ａに侵入しているゴミ等の異物が、乗かごドア１の閉じ動作に伴う閉塞体２の移動による敷居７の貫通穴５の開放と、乗かごドア１の移動に伴う異物の移動とによって、貫通穴５から敷居７外へ排出され、除去される。
【００１９】
また、同図１の矢印８方向に乗かごドア１が移動するドア開時には、乗かごドア１の開き動作に伴って閉塞体２が敷居７の背面側を移動して、敷居７の貫通穴５の背面側が閉じられる。したがって、乗かごドア１の開放に伴って乗客がシル溝７ａ上を通過する際に、乗客にとって必要な鍵やコイン等の持ち物がシル溝７ａ内に落下しても、その持ち物が貫通穴５から排出されてしまうことはない。
【００２０】
以上のように構成した本実施形態によれば、前述したように、シル溝７ａ内の異物の除去が可能であるとともに、乗かごドア１の開放に伴って敷居７上を乗客が通過する際、乗客にとって必要な持ち物がシル溝７ａ内に落下したときに、乗客はシル溝７ａ内からその持ち物を取り出すことができる。これにより、エレベータの乗客に対するサービス性を向上させることができる。
【００２１】
また、乗かごドア１の開閉動作に伴って、ガイド体４の直線ガイド部４ａの保持部４ａ２によって、閉塞体２を安定に保持させながら敷居７の背面に沿って移動させることができ、また、ガイド体４の屈曲ガイド部を構成する内側湾曲部４ｂ及び外側湾曲部４ｃによって、閉塞体２を敷居７の端部において屈曲させながら移動させることができ、閉塞体２をこのガイド体４によって円滑に移動させることができる。これによりドア開時における貫通穴５の閉塞動作、及びドア閉時における貫通穴５の開放動作を確実に行わせることができ、信頼性の高い敷居装置を得ることができる。
【００２２】
また、ドア閉時に、乗かごドア１が開ききっている状態であるドア閉じ動作の開始位置から、ドア閉じ端部の近傍、すなわちドア閉じ動作の終了位置付近までのシル溝７ａの領域に存在する乗客の持ち物とは異なるゴミ等の異物を、貫通穴５から排出させることができ、シル溝５内に落下した異物に対する優れた除去性能を確保することができる。
【００２３】
なお、上述した実施形態にあっては、両開きの乗かごドア１を有するエレベータに適用したが、片開きの乗かごドア１を有するエレベータに適用してもよい。また、上述した実施形態にあっては、乗かごドア１を案内する敷居装置を挙げたが、乗場ドアを案内する敷居装置を、上述の実施形態と同等の構成にしてもよい。
【符号の説明】
【００２４】
１    乗かごドア
２    閉塞体
２ａ  一端側
２ｂ  他端側
４    ガイド体
４ａ  直線ガイド部
４ａ１  固定部
４ａ２  保持部
４ｂ  内側湾曲部（屈曲ガイド部）
４ｃ  外側湾曲部（屈曲ガイド部）
４ｄ  通路
５    貫通穴
６    ドアシュー
７    敷居
７ａ  シル溝
８    矢印
【図１】
2010260699.tif 000003
【図２】
2010260699.tif 000004
【図３】
2010260699.tif 000005